(57)【特許請求の範囲】
【請求項１】
マイコンと、
コンピュータから出力されたアナログ映像信号１を入力し、前記マイコンからの振幅調整信号で振幅制御される振幅制御装置と、
前記振幅制御装置のアナログ映像信号２出力を入力し、アナログデジタル変換するアナログデジタル変換装置と、
アナログデジタル変換を実行し、水平同期信号を基準として前記マイコンの制御により発振させるクロックの周波数と位相を制御するクロック制御装置と、
前記アナログデジタル変換装置でつくられたデジタル映像信号１を入力し、ＭＳＢの個数を数える機能１と、
前記水平同期信号が入力されたタイミングから前記デジタル映像信号１のＭＳＢが最初に入力されるまでのクロック数Ｈｃを計測する機能２と、
垂直同期信号が入力されたタイミングから前記デジタル映像信号の１のＭＳＢが最初に入力されるまでの水平同期信号Ｖｃを計測する機能３と、
前記デジタル映像信号１のＭＳＢが水平同期信号間で最初に入力されるタイミングから最後にＭＳＢが入力されるタイミングまでのクロック数を計測する機能４と、
前記デジタル映像信号１のＭＳＢが垂直同期信号間で最初に入力されるタイミングから最後にＭＳＢが入力されるタイミングまでの水平同期信号数を計測する機能５と、を有し
前記マイコンの制御により上記計測した値に基づきアナログデジタル変換された前記デジタル映像信号１を可変してデジタル映像信号２を出力する信号処理装置と、
前記マイコンの制御と前記信号処理装置とにより可変された前記デジタル映像信号２の出力を取り込むメモリと、
を備え、
自動調整装置を動作させる場合、
前記振幅調整装置での電圧振幅補正を過補正にし、
前記信号処理装置において計測されたＭＳＢの個数Ｎｎを複数回計測し、該変化量Ａｎ＝｜Ｎn−Ｎ(n-1)｜を計算し、Ａｎが最小になる点となるクロック位相を最適なクロック位相として前記マイコンの制御により発振させるクロックの位相を制御し、
前記信号処理装置の上記機能４により算出された水平解像度と、上記機能５により算出された垂直解像度と、に基づいて前記メモリからのデジタル映像出力を可変することを特徴とする自動調整装置。
【請求項２】
請求項１記載の自動調整装置を備えたことを特徴とするビデオプロジェクター。
【発明の詳細な説明】
【０００１】
【産業上の利用分野】
本発明は、ディスプレイ装置やビデオプロジェクターなどの映像表示装置における自動調整装置（国際特許分類Ｈ０４Ｎ  ５／６６）に関するものである。
【０００２】
【従来の技術】
近年、マルチメディア化の流れの中、様々な信号ソースに対しマルチに対応することが可能なディスプレイ装置が脚光を浴びている。
【０００３】
従来の自動調整装置としては特開平２−３０９７７３号公報に記載の液晶デイスプレイ装置が挙げられる。
これは、液晶に入力される映像信号成分はクロック位相がずれていると信号振幅が小さくなり、クロック位相が最適に近くなると信号振幅が大きくなるという特性を利用する。具体的には、映像信号を直流化しクロック位相ずれに相当する信号をつくり、この信号を基準信号と比較しクロック位相ずれ信号が基準信号以上になるクロックを自動選択するものであった。
【０００４】
【発明が解決しようとする課題】
このように、自動調整装置を液晶に入力される信号を用いてクロック位相を自動調整する方法は、入力信号のレベルがクロック位相ずれに相当する信号と比較する基準信号のレベルよりも大きな値でなければならず、自動調整が実行可能な入力映像信号を限定してしまうという問題があった。
【０００５】
【課題を解決するための手段】
前記課題を解決するために、本発明の自動調整装置は、マイコン制御で振幅調整装置を制御し信号振幅を過補正した映像信号をアナログデジタル変換装置に入力し、出力されたデジタル信号を信号処理装置に入力し信号処理装置から入力映像信号に最適なクロック位相の情報及び表示位置と形状情報をマイコンで読み取ることにより最適なアナログデジタル変換装置のクロック位相を調整しかつ表示制御装置をマイコン制御し映像の表示位置と表示形状を調整することを特徴とする自動調整装置とビデオプロジェクターである。
【０００６】
本発明によれば、入力が小振幅のアナログ映像信号であってもデジタル信号に変換した信号出力は映像信号の有無の情報を保持し、この情報を元に最適なアナログデジタル変換装置のクロック位相と映像の表示位置と表示形状を調整することができる。
【０００７】
【発明の実施の形態】
本発明の請求項１に記載の発明は、
マイコンと、
コンピュータから出力されたアナログ映像信号１を入力し、前記マイコンからの振幅調整信号で振幅制御される振幅制御装置と、
前記振幅制御装置のアナログ映像信号２出力を入力し、アナログデジタル変換するアナログデジタル変換装置と、
アナログデジタル変換を実行し、水平同期信号を基準として前記マイコンの制御により発振させるクロックの周波数と位相を制御するクロック制御装置と、
前記アナログデジタル変換装置でつくられたデジタル映像信号１を入力し、ＭＳＢの個数を数える機能１と、
前記水平同期信号が入力されたタイミングから前記デジタル映像信号１のＭＳＢが最初に入力されるまでのクロック数Ｈｃを計測する機能２と、
垂直同期信号が入力されたタイミングから前記デジタル映像信号の１のＭＳＢが最初に入力されるまでの水平同期信号Ｖｃを計測する機能３と、
前記デジタル映像信号１のＭＳＢが水平同期信号間で最初に入力されるタイミングから最後にＭＳＢが入力されるタイミングまでのクロック数を計測する機能４と、
前記デジタル映像信号１のＭＳＢが垂直同期信号間で最初に入力されるタイミングから最後にＭＳＢが入力されるタイミングまでの水平同期信号数を計測する機能５と、を有し
前記マイコンの制御により上記計測した値に基づきアナログデジタル変換された前記デジタル映像信号１を可変してデジタル映像信号２を出力する信号処理装置と、
前記マイコンの制御と前記信号処理装置とにより可変された前記デジタル映像信号２の出力を取り込むメモリと、
を備え、
自動調整装置を動作させる場合、
前記振幅調整装置での電圧振幅補正を過補正にし、
前記信号処理装置において計測されたＭＳＢの個数Ｎｎを複数回計測し、該変化量Ａｎ＝｜Ｎn−Ｎ(n-1)｜を計算し、Ａｎが最小になる点となるクロック位相を最適なクロック位相として前記マイコンの制御により発振させるクロックの位相を制御し、
前記信号処理装置の上記機能４により算出された水平解像度と、上記機能５により算出された垂直解像度と、に基づいて前記メモリからのデジタル映像出力を可変することを特徴とする自動調整装置であり、入力が小振幅のアナログ映像信号であってもデジタル信号に変換した信号出力は映像信号の有無の情報を保持し、この情報を元に最適なアナログデジタル変換装置のクロック位相と映像の表示位置と表示形状を自動調整することができる。
【０００８】
次に、本発明の請求項２に記載の発明は、請求項１記載の自動調整装置を備えたことを特徴とするビデオプロジェクターであり、入力が小振幅のアナログ映像信号であってもデジタル信号に変換した信号出力は映像信号の有無の情報を保持し、この情報を元に最適なアナログデジタル変換装置のクロック位相と映像の表示位置と表示形状を自動調整することができるビデオプロジェクターである。
【００１３】
（実施の形態１）
以下に、本発明の請求項１及び請求項３及び請求項４に記載された発明の形態について図１を用いて説明する。
【００１４】
図１において、コンピュータから出力された映像信号は映像信号入力４から入力されたアナログ映像信号は振幅制御装置８に入力される。
振幅制御装置８に入力されたアナログ映像信号はマイコン１０による振幅制御信号１１により電圧振幅増幅されアナログデジタル変換装置１２に入力されデジタル映像信号に変換される。
ここで、本発明の自動調整装置を動作させる場合振幅調整装置１１での電圧振幅補正を過補正にし本発明の自動調整装置を動作させないときは適正電圧振幅にする。
【００１５】
クロック制御装置１３はマイコン１０での制御で水平同期信号入力６からの水平同期信号を基準に発信させるクロックの周波数と位相を制御できる。
このクロック制御装置１３にて発生したクロックを用いアナログデジタル変換を実行する。
アナログデジタル変換装置１２でつくられたデジタル映像信号は信号処理装置１７に入力された映像信号のＭＳＢの個数を数えマイコン１０で読み取りその個数をＮ１とする。
【００１６】
次に、クロック制御装置１３でクロックの位相を変え信号処理装置１７で入力された映像信号のＭＳＢの個数を数えマイコン１０で読み取りその個数をＮ２とする。
この操作をクロック制御装置１３で設定可能なクロック位相の数ｎ回繰り返す。コンピュータから出力されるアナログ映像信号はコンピュータ内の映像表示用クロックからつくられるために表示ドットの同期した不連続な信号になっている。このためコンピュータ内の映像表示用クロックと同位相のクロックでアナログデジタル変換しないと忠実なコンピュータ映像をアナログデジタル変換できなくなる。
【００１７】
このクロック位相のズレはアナログデジタル変換する時に使用するクロックの位相とデジタル信号のＭＳＢの個数に反映される。
すなわち、クロック位相に対する信号のＭＳＢの変化量を計測し変化量が最小となる点がクロック位相の最適点といえる。
ここで、マイコン１０で読み取った入力信号のＭＳＢの数Ｎ１、Ｎ２、・・・、ＮｎからＮｎの変化量Ａｎ＝｜Ｎn−Ｎ(n-1)｜を計算しＡｎが最小になる点Ａａとなるクロック位相を最適なクロック位相とする。
【００１８】
また、信号処理装置１７に入力された水平同期信号が入力されたタイミングからデジタル映像信号のＭＳＢが最初に入力されるまでのクロック数Ｈｃを信号処理装置１７で計測しマイコン１０に取り込む。
水平同期信号からＨｃ遅れたタイミングから信号処理装置１７のメモリ２１に取り込むようにマイコン１０で信号処理装置１７の出力を可変する。
【００１９】
同様に、信号処理装置１７に入力された垂直同期信号が入力されたタイミングからデジタル映像信号のＭＳＢが最初に入力されるまでの水平同期信号Ｖｃを信号処理装置１７で計測しマイコン１０に取り込む。
水平同期信号からＶｃ遅れたタイミングから信号処理装置１７のメモリ２１に取り込むようにマイコン１０で信号処理装置１７の出力を可変する。
【００２０】
また、信号処理装置１７に入力されたデジタル映像信号のＭＳＢが水平同期信号間で最初に入力されるタイミングから最後にＭＳＢが入力されるタイミングまでのクロック数を信号処理装置１７で計測した値が水平解像度となり、この値をもとにメモリ２１からのデジタル映像出力を可変する。
【００２１】
同様に、信号処理装置１７に入力されたデジタル映像信号のＭＳＢが垂直同期信号間で最初に入力されるタイミングから最後にＭＳＢが入力されるタイミングまでの水平同期信号数を信号処理装置１７で計測した値が垂直解像度となり、この値をもとにメモリ２１からのデジタル映像出力を可変する。
【００２２】
以上の操作により、メモリ２１に格納されたデジタル映像信号を出力する。従って、本発明の自動調整装置では振幅制御装置８で映像信号の電圧振幅を過補正にするため、小信号の映像信号入力でもアナログデジタル変換後のＭＳＢ検出が可能となるためクロック位相と映像の表示位置と表示形状を自動調整が可能となる。
【００２３】
（実施の形態２）
以下に、本発明の請求項２に記載された発明の形態について図２を用いて説明する。
【００２４】
図２において、請求項１記載の自動調整装置１を搭載したビデオプロジェクター３のような構成を取ることにより実施の形態１と同様に小信号映像信号入力でもアナログデジタル変換後のＭＳＢ検出が可能となるためクロック位相と映像の表示位置と表示形状を自動調整が可能なビデオプロジェクターとなる。
【００２５】
【発明の効果】
以上のように、本発明の自動調整装置とビデオプロジェクターによれば、小信号で入力されたパソコンの映像信号であっても、映像信号振幅をアナログデジタル変換装置で過補正にするため、デジタル信号のＭＳＢが正確に数えられるために最適なアナログデジタル変換装置のクロック位相を調整しかつ表示制御装置をマイコン制御し最適な映像の表示位置と表示形状に調整することが可能な自動調整装置とビデオプロジェクターを提供することが可能となる。
【図面の簡単な説明】
【図１】本発明の実施の形態１における自動調整装置のブロック構成図
【図２】本発明の実施の形態２におけるビデオプロジェクターのブロック構成図
【符号の説明】
１  自動調整装置
３  ビデオプロジェクター
４  映像信号入力
５  垂直同期信号入力
６  水平同期信号入力
７  アナログ映像信号線１
８  振幅制御装置
９  アナログ映像信号線２
１０  マイコン
１１  振幅調整信号線
１２  アナログデジタル変換装置
１３  クロック制御装置
１４  クロック制御信号線
１５  デジタル映像信号線１
１６  クロック信号線
１７  信号処理装置
１８  読み取り信号線
１９  信号処理装置制御線
２０  デジタル映像信号線２
２１  メモリ
２２  デジタル映像出力線
【図１】
0003661497.tif 000002
【図２】
0003661497.tif 000003